(57)【要約】【課題】構造が簡便で段床と段の無いスペースとを容易に切り替えることができる段床構造を提供する。【解決手段】前後方向の前側から後側に向かって階段状に高くなるように形成された複数段１１，１１…の床面１３を有し、床面１３の上方に椅子３の着座部３２が配される段床構造１Ａであって、複数段１１，１１…の床面１３の少なくとも一段１１の切り替え可能床面１３Ａに、切り替え可能床面（床面）１３Ａの後側となる部分（一部分）１４に着脱可能に設けられ、切り替え可能床面１３Ａの上方に配される椅子３の着座部３２を使用する場合に足元を配置する補助床面２ｂを形成する補助床部材２を備え、補助床部材２と対応する椅子３の着座部３２における座面３２ａから補助床面２ｂまでの高さｈ３は、補助床部材２が設けられない箇所における椅子３の着座部３２における座面３２ａから対応する床面１３までの高さと略等しい。【選択図】図１
2015052249.tif 000002
【特許請求の範囲】
【請求項１】
前後方向の前側から後側に向かって階段状に高くなるように形成された複数段の床面を有し、前記床面の上方に椅子の着座部が配される段床構造であって、
複数段の前記床面の少なくとも一段に、当該床面の一部分に着脱可能に設けられ、当該床面の上方に配される前記椅子の前記着座部を使用する場合に足元を配置する補助床面を形成する補助床部材を備え、
前記補助床部材と対応する前記椅子の前記着座部における座面から前記補助床面までの高さは、前記補助床部材が設けられない箇所における前記椅子の前記着座部における座面から対応する前記床面までの高さと略等しいことを特徴とする段床構造。
【請求項２】
前記補助床部材と対応する前記椅子は、対応する前記補助床部材が設けられた床面に着脱可能に構成されていることを特徴とする請求項１に記載の段床構造。
【請求項３】
前記補助床部材は、対応する前記椅子に固定可能に構成されていることを特徴とする請求項１または２に記載の段床構造。
【請求項４】
前記補助床部材は、１つの前記椅子に対して１つ設けられていることを特徴とする請求項１乃至３のいずれか１項に記載の段床構造。
【請求項５】
前記補助床部材は、前記前後方向に交差する左右方向に配列された複数の前記椅子に対して１つ設けられていることを特徴とする請求項１乃至３のいずれか１項に記載の段床構造。
【請求項６】
前記補助床部材は、前記左右方向に複数配列されていて、前記左右方向に隣り合う補助床部材は連結手段によって連結可能であることを特徴とする請求項１乃至５のいずれか１項に記載の段床構造。
【請求項７】
前記椅子は、前記着座部を支持する脚部を有し、、前記補助床部材には前記脚部が嵌合可能な嵌合溝が形成されていることを特徴とする請求項６に記載の段床構造。
【請求項８】
前記椅子は、対応する前記床面上を走行するためのキャスタを有していることを特徴とする請求項１乃至７のいずれか１項に記載の段床構造。
【請求項９】
前記補助床部材は、複数段の前記床面の少なくとも一段における当該床面の後側となる部分に設けられていることを特徴とする請求項１乃至８のいずれか１項に記載の段床構造。
【請求項１０】
複数段の前記床面の少なくとも一段における当該床面の前側となる部分が通路を構成しており、
当該床面の後側となる部分に補助床部材が設けられていることを特徴とする請求項９に記載の段床構造。
【請求項１１】
複数段の前記床面の最後段に補助床部材が設けられていることを特徴とする請求項１乃至１０のいずれか１項に記載の段床構造。
【発明の詳細な説明】
【技術分野】
【０００１】
本発明は、劇場やホールなどの観覧施設に構築される前側から後側に向かって階段状に高くなる段床の段床構造に関する。
【背景技術】
【０００２】
従来、劇場やホールなどの観覧施設の床を、前側から後側に向かって階段状に高くなる段床の状態と、段の無い平場の状態とに切り替えることができる段床形成装置が知られている。
例えば、特許文献１には、段床を形成する複数の補助床部材が舞台部の下方に収容されていて、この補助床部材が劇場の床面に設けられたせり機構によってせり出されることで、平場に段床を形成可能な段床形成装置が開示されている。
また、特許文献２には、段床を形成する複数の補助床部材が前後方向に移動可能で、平場を形成するときには上下方向に積み上げられた状態となる段床形成装置が開示されている。
また、特許文献３には、段床を形成する複数の補助床部材が平場となっている状態の床部の下方に収容されていて、ジャッキなどの昇降手段によってリフトアップされることで平場に段床を形成可能な段床形成装置が開示されている。
【０００３】
また、段床が形成されていても、車椅子の利用者が利用しやすいように、所定のスペースを平場にすることができる床形成装置や、観覧席用椅子が知られている（例えば特許文献４、５参照）。
例えば、特許文献４には、通路のすぐ下段の段床が、通路の高さまで上昇可能で、通路のすぐ下段の段床が、通路の高さまで上昇することで所定の広さの平坦なスペースが確保される床形成装置が開示されている。
また、特許文献５には、段床に装着された複数の椅子のうちの一部が他の椅子の後方へ回転移動可能に構成され、一部の椅子が他の椅子の後方へ回転移動することで、椅子のない所定の広さの平坦なスペースが確保される観覧席用椅子が開示されている。
【先行技術文献】
【特許文献】
【０００４】
【特許文献１】特公平０５−０００５０３号公報
【特許文献２】実用新案登録第２５２２３６８号公報
【特許文献３】特許第２７８７２２６号公報
【特許文献４】特許第４１５３４３７号公報
【特許文献５】特開平１１−２４４０８３号公報
【発明の概要】
【発明が解決しようとする課題】
【０００５】
しかしながら、特許文献１乃至４に開示された段床形成装置は、補助床部材を移動させるための機構が複雑で、段床と平場との切り替えが大掛かりになるとともにコストがかかるという問題がある。
また、補助床部材を移動させるための機構に動力を使用することが多いため、設置コストおよびランニングコストがかかるという問題もある。このため、特許文献１乃至４に開示された段床形成装置は、収容人数の少ない小規模な施設には適していないという問題があった。
また、引用文献５に開示された観覧席用椅子では、一部の椅子が他の椅子の後方へ回転移動するという構造上、椅子が回転移動するためのスペースが必要となり、椅子の設置数が少なくなるという問題がある。また、椅子が回転移動するためのスペースを確保することにより、椅子の前後方向の間隔が大きくなるため、例えば通路のすぐ後ろに設けられた椅子に着座すると舞台等の観覧対象物を見づらいという問題もある。
【０００６】
本発明は、上述する問題点に鑑みてなされたもので、構造が簡便で段床と段の無いスペースとを容易に切り替えることができる段床構造を提供することを目的とする。
【課題を解決するための手段】
【０００７】
上記目的を達成するため、本発明に係る段床構造は、前後方向の前側から後側に向かって階段状に高くなるように形成された複数段の床面を有し、前記床面の上方に椅子の着座部が配される段床構造であって、複数段の前記床面の少なくとも一段に、当該床面の一部分に着脱可能に設けられ、当該床面の上方に配される前記椅子の前記着座部を使用する場合に足元を配置する補助床面を形成する補助床部材を備え、前記補助床部材と対応する前記椅子の前記着座部における座面から前記補助床面までの高さは、前記補助床部材が設けられない箇所における前記椅子の前記着座部における座面から対応する前記床面までの高さと略等しいことを特徴とする。
【０００８】
本発明では、複数段の床面の少なくとも一段に、当該床面の一部分に補助床部材を取り付けることで、この床面に段床を形成することができ、この補助床部材を床面から取り外すことで、床面に段の無いスペースを形成することができる。そして、床面に補助床部材を取り付けるか、床面から補助床部材を取り外すことで、段床と段の無いスペースとを切り替えることができるため、構造が簡便で、段床と段の無いスペースとを容易に切り替えることができる。
そして、床面から補助床部材を取り外して形成された段の無いスペースを、車椅子の利用者のためのスペースとしたり、機器類を設置するスペースとしたり多目的に使用することができる。
また、補助床部材と対応する椅子の着座部における座面から補助床面までの高さは、補助床部材が設けられない箇所における椅子の着座部における座面から対応する床面までの高さと略等しいことにより、補助床部材を設置して段床を形成した場合も、補助床部材を取り外して段の無いスペースを形成した場合も、椅子の座面が所定の高さに保持されているため椅子に着座した使用者が、前方を良好に視認することができる。
【０００９】
また、本発明に係る段床構造では、前記補助床部材と対応する前記椅子は、対応する前記補助床部材が設けられた床面に着脱可能に構成されていることが好ましい。
このようにすることにより、床面から補助床部材を取り外すとともに椅子を取り外すことで、段および椅子の無い平場が形成されるため、この平場を車椅子の利用者のためのスペースとしたり、機器類を設置するスペースとしたり多目的に使用することができる。
【００１０】
また、本発明に係る段床構造では、前記補助床部材は、対応する前記椅子に固定可能に構成されていてもよい。
このようにすることにより、椅子と補助床部材とが位置ずれすることを防止することができる。
【００１１】
また、本発明に係る段床構造では、前記補助床部材は、１つの前記椅子に対して１つ設けられていてもよい。
このようにすることにより、１つの椅子ごとに補助床部材を必要に応じて設置したり取り外したりすることで必要箇所のみを段床にしたり段の無いスペースにしたりすることができる。
【００１２】
また、本発明に係る段床構造では、前記補助床部材は、前記前後方向に交差する左右方向に配列された複数の前記椅子に対して１つ設けられていてもよい。
このようにすることにより、左右方向に配列された複数の椅子が設置された部分を一度に段床にしたり段の無いスペースにしたりすることができ、段床と平床との切り替えを容易に行うことができる。
【００１３】
また、本発明に係る段床構造では、前記補助床部材は、前記左右方向に複数配列されていて、前記左右方向に隣り合う補助床部材は連結手段によって連結可能であることが好ましい。
このようにすることにより、隣り合う補助床部材が確実に連結されるため、隣り合う補助床部材間に隙間ができて、この隙間に足が挟まったり物が落ちたりすることを防止することができるとともに、隣り合う補助床部材が位置ずれすることを防止することができる。
【００１４】
また、本発明に係る段床構造では、前記椅子は、前記着座部を支持する脚部を有し、
前記補助床部材には前記脚部が嵌合可能な嵌合溝が形成されているが好ましい。
このようにすることにより、床面に取り付けられた椅子の脚部に補助床部材の嵌合溝を嵌合させれば、床面および椅子に対して補助床部材が正位置に設置されるため、補助床部材の位置合わせを容易に行うことができ、補助床部材の設置を容易に行うことができる。
【００１５】
また、本発明に係る段床構造では、椅子は、対応する床面上を走行するためのキャスタを有していることが好ましい。
このようにすることにより、椅子を容易に移動させることができる。
【００１６】
また、本発明に係る段床構造では、前記補助床部材は、複数段の前記床面の少なくとも一段における当該床面の後側となる部分に設けられていてもよい。
このようにすることにより、床面を前側となる部分よりも後側となる部分が高くなる段床とすることができる。
【００１７】
また、本発明に係る段床構造では、複数段の前記床面の少なくとも一段における当該床面の前側となる部分が通路を構成しており、当該床面の後側となる部分に補助床部材が設けられていてもよい。
このようにすることにより、床面から補助床部材と椅子を取り外せば、通路と同じ高さのスペースが形成されるため、このスペースを例えば、車椅子の利用者のためのスペースとすることができる。
【００１８】
また、本発明に係る段床構造では、前記複数段の前記床面の最後段に補助床部材が設けられていてもよい。
このようにすることにより、床面から補助床部材と椅子を取り外せば、最後段にスペースが形成されるため、このスペースをカメラなどの機器類を設置するスペースとすることができる。
【発明の効果】
【００１９】
本発明によれば、複数段の床面の少なくとも一段に、当該床面の一部分に補助床部材を取り付けることで、この床面に段床を形成することができ、この補助床部材を床面から取り外すことで、床面に段の無い段の無いスペースを形成することができる。そして、床面に補助床部材を取り付けるか、床面から補助床部材を取り外すことで、段床と段の無いスペースとを切り替えることができるため、構造が簡便で、段床と段の無いスペースとを容易に切り替えることができる。
そして、床面から補助床部材を取り外して形成された段の無いスペースを、車椅子の利用者のためのスペースとしたり、機器類を設置するスペースとしたり多目的に使用することができる。
また、補助床部材と対応する椅子の着座部における座面から補助床面までの高さは、補助床部材が設けられない箇所における椅子の着座部における座面から対応する床面までの高さと略等しいことにより、補助床部材を設置して段床を形成した場合も、補助床部材を取り外して段の無いスペースを形成した場合も、椅子の座面が所定の高さに保持されているため椅子に着座した使用者が、前方を良好に視認することができる。
【図面の簡単な説明】
【００２０】
【図１】本発明の第１実施形態による段床構造の一例を示す斜視図である。
【図２】図１のＡ方向矢視図である。
【図３】補助床部材の床面への着脱を説明する図である。
【図４】連結手段を説明する図である。
【図５】第２実施形態による段床構造の一例を示す斜視図である。
【図６】第３実施形態による段床構造の一例を示す側面図である。
【図７】第３実施形態における補助床部材と椅子が外された様子を示す図である。
【図８】第４実施形態による段床構造の一例を示す側面図である。
【図９】補助床部材の固定用金具を説明する図である。
【図１０】（ａ）、（ｂ）は椅子の他の形態を示す図である。
【発明を実施するための形態】
【００２１】
（第１実施形態）
以下、本発明の第１実施形態による段床構造について、図１乃至図４に基づいて説明する。
図１に示すように、第１実施形態による段床構造１Ａは、劇場やホールなどの観覧施設における前後方向（図中の矢印Ｂの方向）前側から後側に向かって階段状に高くなる段床の構造で、複数の段１１，１１…一部の段１１Ａ（１１）に、その床面１３Ａ（１３）の後側となる部分１４に略直方体状に形成され、左右方向（図中の矢印Ｃの方向）に配列された２つの補助床部材２，２が着脱可能に設けられている。
【００２２】
この補助床部材２は、その高さｈ１が一部の段１１Ａ以外の段１１Ｂ（１１）の高さｈ２と略等しくなるように形成されている。
そして、補助床部材２が一部の段１１Ａの床面１３Ａに取り付けられると段床が形成し、一部の段１１Ａの床面１３Ａから取り外されると段の無いスペースが形成される。
このように、一部の段Ａの床面１３Ａは、段床と段の無いスペースとに切り替え可能であるため、切り替え可能床面１３Ａとして以下説明する。
また、切り替え可能床面１３Ａから補助床部材２が取り外された状態を段の無いスペースとし、段の無いスペースのうち補助床部材２が取り外された切り替え可能床面１３Ａから更に椅子３（後述する）が外された状態を平場として以下説明する。
【００２３】
第１実施形態では、切り替え可能床面１３Ａは、前側となる部分１５に左右方向（図中の矢印Ｃの方向）に延びる通路１２が形成されていて、通路１２の後側となる部分１４に補助床部材２，２が着脱可能に設けられている。
【００２４】
また、段床の段１１，１１…の床面１３のうち、通路１２部分以外にそれぞれ観覧用の椅子３が設けられている。これらの観覧用の椅子３のうち、切り替え可能床面１３Ａに設けられている椅子３は、切り替え可能床面１３Ａに着脱可能に設けられていて、切り替え可能床面１３Ａ以外に設けられている椅子（不図示）は床面１３に固定されている。
椅子３は、左右方向Ｃに所定の間隔をあけて配列された複数の脚部３１，３１…と、左右方向Ｃに隣り合う脚部３１，３１間にそれぞれ設けられた着座部３２，３２…と、着座部３２，３２…の上方に設けられた背凭れ部３３，３３…と、脚部３１，３１…の上部にそれぞれ設けられた肘掛部３４，３４…とを備えている。
【００２５】
そして、図２および図３に示すように、切り替え可能床面１３Ａに設けられている椅子３は、脚部３１，３１…が切り替え可能床面１３Ａに着脱可能な着脱部材３５に連結されている。この着脱部材３５には、切り替え可能床面１３Ａと係止可能な係止部３６と、切り替え可能床面１３Ａを走行可能なキャスタ３７とが設けられている。係止部３６は、例えば、ネジなどの締結具（不図示）で切り替え可能床面１３Ａに固定されることによって切り替え可能床面１３Ａに係止されるように構成されている。
【００２６】
このような切り替え可能床面１３Ａに設けられている椅子３は、切り替え可能床面１３Ａに取り付けられるときは、キャスタ３７が切り替え可能床面１３Ａから上方に離間するとともに係止部３６が切り替え可能床面１３Ａに係止されることで切り替え可能床面１３Ａに固定され、切り替え可能床面１３Ａから取り外されるときは、係止部３６と切り替え可能床面１３Ａとの係止が解除されるとともにキャスタ３７が切り替え可能床面１３Ａと当接することで切り替え可能床面１３Ａ上を走行可能に構成されている。
【００２７】
また、図１乃至３に示すように、補助床部材２には、後端部２ａに椅子３の脚部３１が嵌合可能な嵌合溝２１が形成されている。そして、補助床部材２は、嵌合溝２１に椅子３の脚部３１が嵌合するように切り替え可能床面１３Ａに取り付けられることで、正位置に設置される。
【００２８】
また、図４に示すように、左右方向Ｃに隣り合う補助床部材２，２どうしは連結手段４によって連結されている。
連結手段４は、隣り合う補助床部材２，２の一方の補助床部材２Ａ（２）に設けられて他方の補助床部材２Ｂ（２）側に突出する突出部４１と、他方の補助床部材２Ｂに設けられて一方の補助床部材２Ａの突出部４１が挿入可能な挿入部４２と、から構成されている。そして、一方の補助床部材２Ａと他方の補助床部材２Ｂとがそれぞれ正位置に配列されると、一方の補助床部材２Ａの突出部４１が他方の補助床部材２Ｂの挿入部４２に挿入され、突出部４１と挿入部４２とが互いに嵌合し、一方の補助床部材２Ａと他方の補助床部材２Ｂとが連結される。
【００２９】
図１乃至図３に戻り、このような補助床部材２は、切り替え可能床面１３Ａに取り付けられると、上方に椅子３の着座部３２が配置されるように構成されている。このとき、補助床部材２の上面２ｂは、椅子３を使用する場合に足元を配置する補助床面２ｂを形成している。
そして、補助床面２ｂから椅子３の着座部３２の座面３２ａまでの高さ（ｈ３）は、切り替え可能床面１３Ａ以外の床面１３からその上方の椅子３の着座部３２の座面３２ａまでの高さ（不図示）と略同じ高さとなるように構成されている。
【００３０】
続いて、切り替え可能床面１３Ａの段床と平場との切り替え方法について説明する。
まず、切り替え可能床面１３Ａを段床とする場合は、切り替え可能床面１３Ａに補助床部材２を取り付ける。このとき、補助床部材２の嵌合溝２１に椅子３の脚部３１を嵌合させる。また、左右方向Ｃに隣り合う補助床部材２，２の一方の補助床部材２Ａの連結手段４の突出部４１を、他方の補助床部材２Ｂの連結手段４の挿入部４２に挿入して、突出部４１と挿入部４２とを互いに嵌合させ、隣り合う補助床部材２，２どうしを連結させる。このようにすることで、切り替え可能床面１３Ａに段床が形成される。なお、補助床部材２は、切り替え可能床面１３Ａにネジなどの締結具で固定可能に構成されている。
【００３１】
また、切り替え可能床面１３Ａを平場とする場合は、左右方向Ｃに隣り合う補助床部材２，２の連結を解除し、補助床部材２，２を椅子３の前方に移動させて切り替え可能床面１３Ａから取り外す。これにより、切り替え可能床面１３Ａに段のないスペースが形成される。
続いて、椅子３の係止部３６と切り替え可能床面１３Ａとの係止を解除し、キャスタ３７と切り替え可能床面１３Ａと当接させ、椅子３を移動させて切り替え可能床面１３Ａから取り外す。このようにすることで、段１１Ａおよび椅子３がなくなり切り替え可能床面１３Ａに平場が形成される。
【００３２】
次に、第１実施形態による段床構造１Ａの作用・効果について図面を用いて説明する。
上述した第１実施形態による段床構造１Ａでは、前側となる部分１５に通路１２が形成された切り替え可能床面１３Ａの後側となる部分１４に補助床部材２を取り付けることで切り替え可能床面１３Ａに段床が形成され、この補助床部材２を切り替え可能床面１３Ａから取り外すことで切り替え可能床面１３Ａに段のないスペースを形成することができる。そして、切り替え可能床面１３Ａに補助床部材２を取り付けるか、切り替え可能床面１３Ａから補助床部材２を取り外すことで、切り替え可能床面１３Ａを段床と段のないスペースとに切り替えることができるため、構造が簡便で、段床と段のないスペースとを容易に切り替えることができる。
【００３３】
そして、補助床部材２の補助床面２ｂから椅子３の座面３２ａまでの高さｈ３は、切り替え可能床面１３Ａ以外の床面１３からその上方の椅子３の座面３２ａまでの高さと略等しいことにより、補助床部材２を設置して段床を形成した場合も、補助床部材２を取り外して段のないスペースを形成した場合も、椅子３の座面３２ａが所定の高さに保持されているため、着座した使用者が前方を良好に視認することができる。
【００３４】
また、椅子３は、切り替え可能床面１３Ａに着脱可能であることにより、切り替え可能床面１３Ａから補助床部材２および椅子３を取り外すことで、椅子３の無い平場が形成されるため、この平場を車椅子の利用者のためのスペースとしたり、カメラなどの機器類を設置するスペースとしたり多目的に使用することができる。
なお、補助床部材２を取り外して、一部の椅子３のみを取り外し、車椅子の利用者は、椅子３が外されたスペースに車椅子を置いて、切り替え可能床面１３Ａに固定されている椅子３に着座するようにしてもよい。このような場合も、椅子３の座面３２ａが所定の高さに保持されているため、着座した使用者が前方を良好に視認することができる。
【００３５】
また、左右方向Ｃに隣り合う補助床部材２，２は、連結手段４によって連結可能であることにより、隣り合う補助床部材２，２どうしが確実に連結するため、隣り合う補助床部材２，２間に隙間ができて、この隙間に足が挟まったり物が落ちたりすることを防止することができるとともに、隣り合う補助床部材２，２が位置ずれすることを防止することができる。
また、補助床部材２には椅子３の脚部３１が嵌合可能な嵌合溝２１が形成されていることにより、切り替え可能床面１３Ａに固定された椅子３の脚部３１と補助床部材２の嵌合溝２１とを嵌合させれば、切り替え可能床面１３Ａおよび椅子３に対して補助床部材２が正位置に設置されるため、補助床部材２の位置合わせを容易に行うことができ、補助床部材２の床面１３Ａへの取り付けを容易に行うことができる。
また、椅子３は、切り替え可能床面１３Ａ上を走行するためのキャスタ３７を有していることにより、椅子３を容易に移動させることができる。
【００３６】
次に、他の実施形態について、添付図面に基づいて説明するが、上述の第１実施形態と同一又は同様な部材、部分には同一の符号を用いて説明を省略し、第１実施形態と異なる構成について説明する。
【００３７】
（第２実施形態）
図５に示すように、第２実施形態による段床構造１Ｂは、段床のうち最後段の床面が切り替え可能床面１３Ｂを構成していて、切り替え可能床面１３Ｂの後側となる部分１４に補助床部材２が取り付けられると、切り替え可能床面１３Ｂが段床となり、切り替え可能床面１３Ｂから補助床部材２が取り外されると切り替え可能床面１３Ｂが段のないスペースとなるように構成されている。
【００３８】
また、第２実施形態では、切り替え可能床面１３Ｂの後側となる部分１４にも前側となる部分１５にも椅子（不図示）が、着脱可能に設けられている。そして、切り替え可能床面１３Ｂから補助床部材２および椅子３が取り外されると、切り替え可能床面１３Ｂに段及び椅子３の無い平場が形成される。
そして、この平場となった切り替え可能床面１３Ｂは、例えば、カメラなどの機器類を設置するスペースとして使用することができる。
このため、第２実施形態では、通常時は上記のように切り替え可能床面１３Ｂを平場としてカメラなどの機器類を設置し、観客席を増やしたい場合に、切り替え可能床面１３Ｂに補助床部材２と椅子３とを取り付けることが好ましい。
【００３９】
第２実施形態による段床構造１Ｂによれば、第１実施形態と同様の効果を奏する。
【００４０】
（第３実施形態）
図６に示すように、第３実施例による段床構造１Ｃは、段床のうち連続する２つの床面がそれぞれ切り替え可能床面１３Ｃ，１３Ｃを構成していて、切り替え可能床面１３Ｃ，１３Ｃの後側となる部分１４にそれぞれ補助床部材２が着脱可能に設けられている。
そして、切り替え可能床面１３Ｃの後側となる部分１４と前側となる部分１５は、前後方向Ｂの長さが略同じ寸法となるように形成されている。また、切り替え可能床面１３Ｃの後側となる部分１４および前側となる部分１５には、それぞれ椅子３が着脱可能に設けられている。
【００４１】
第３実施形態では、図６に示すように、２つの切り替え可能床面１３Ｃ，１３Ｃにそれぞれ補助床部材２および椅子３が設置されると、段床が形成されるとともに、前側から後側に向かって椅子３の座面３２ａが高くなるため、使用者は、椅子３２に着座した状態で前方を良好に観覧することができる。
また、図７に示すように、一方の切り替え可能床面１１Ｃａの補助床部材２および椅子３を外すと、この切り替え可能床面１３Ｃａは、椅子３の無い平場となり、使用者が起立した状態で前方を観覧するためのスペースとすることができる。
【００４２】
なお、他方の切り替え可能床面１３Ｃｂにおいても、補助床部材２および椅子３を外し、使用者が立った状態で前方を観覧するようにしてもよい。
また、平場となった切り替え可能床面１３Ｃの直上の床面上にいる使用者が下方に転落することを防止するための転落防止バーや柵などの転落防止部材１６を、平場となった切り替え可能床面１１Ｃとその直上の床面との境界近傍に着脱可能に設けてもよい。
【００４３】
（第４実施形態）
図８に示すように、第４実施形態による段床構造１Ｄは、切り替え可能床面１３Ｄの前後方向の前側となる部分１５に補助床部材２が着脱可能に設けられていて、後側となる部分１４に通路１２が形成されている。なお、第４実施形態では、前側となる部分１５の前方にも床面が形成されているが、補助床部材２が着脱可能な部分より後方を切り替え可能床面１１Ｄとし、補助床部材２が着脱可能な部分を前側となる部分１５とする。
【００４４】
第４実施形態では、切り替え可能床面１３Ｄから補助床部材２および椅子３を取り外すことで、通路１２の前側にスペースができるため、このスペースを例えば、車椅子の利用者のためのスペースとすることができる。
【００４５】
以上、本発明による段床構造の実施形態について説明したが、本発明は上記の実施形態に限定されるものではなく、その趣旨を逸脱しない範囲で適宜変更可能である。
例えば、上記の第１実施形態では、切り替え可能床面１３Ａが、その前側となる部分１５に通路１２を形成可能な位置に設けられていて、第２実施形態では、切り替え可能床面１３Ｂが、最後段に設けられているが、切り替え可能床面１３Ａ，１３Ｂが設けられる位置は任意に設定されてよい。
また、切り替え可能床面１３Ａ，１３Ｂに設けられる補助床部材２の数は任意に設定されてよい。また、補助床部材２は、１つの椅子３に対して１つ設けられていてもよいし、複数の椅子３に対して１つ設けられていてもよく、補助床部材２の形状は任意に設定されてよい。
また、上記の実施形態では、補助床部材２は、切り替え可能床面１３Ａの後側となる部分１４または前側となる部分１５のいずれかに着脱可能に設けられているが、補助床部材２が設けられる部分は任意に設定されてよく、切り替え可能床面１３Ａの前後方向Ｂの中間部に補助床部材２が設けられていてもよい。
また、上記の実施形態では、補助床部材２は、切り替え可能床面１３Ａにネジなどの締結具で固定可能に構成されているが、切り替え可能床面１３Ａに固定しない構成としてもよい。
また、補助床部材２は、切り替え可能床面１３Ａに代わって椅子３に固定可能に構成されていてもよい。例えば、図９に示すように、補助床部材２の嵌合溝２１に椅子３の脚部３１と対応するように固定用金具２２が取り付けられて、この固定用金具２２と脚部３１とをビスなどの締結具（不図示）で固定できるようにしてもよい。
また、補助床部材２は、切り替え可能床面１３Ａに設けられたときに、切り替え可能床面１３Ａと椅子３の両方に固定されていてもよい。
また、上記の実施形態では、補助床部材２に連結手段が設けられていて、左右方向Ｃに隣り合う補助床部材２が連結手段４によって連結されているが、補助床部材２に連結手段４が設けられていなくてもよい。また、隣り合う補助床部材２，２を連結させる連結手段４の形態は任意に設定されてよい。
また、上記の実施形態では、椅子３は、切り替え可能床面１３Ａ，１３Ｂを走行するためのキャスタを備えているが、キャスタ３７を備えていなくてもよい。
また、上記の実施形態では、椅子３は、同一の段１１の上部に脚部３１および着座部３２が配されているが、図１０（ａ）に示すように後側の段１１Ｃの上部に脚部３１が設けられて前側の段１１Ｄの上部に着座部３２が配されている椅子３としてもよいし、図１０（ｂ）に示すように着座部３２が後側の段１１Ｃの前面に直接取り付けられていてこの着座部３２が前側の段１１Ｄの上部に配されている椅子３としてもよい。
【符号の説明】
【００４６】
１Ａ，１Ｂ，１Ｃ，１Ｄ  段床構造
２  補助床部材
２ｂ  補助床面
３  椅子
４  連結手段
１１  段
１２  通路
１３  床面
１３Ａ，１３Ｂ，１３Ｃ，１３Ｄ  切り替え可能床面
１４  後側となる部分
１５  前側となる部分
２１  嵌合溝
２２  固定用金具
３１  脚部
３２  着座部
３２ａ  座面
３７  キャスタ
【図１】
2015052249.tif 000003
【図２】
2015052249.tif 000004
【図３】
2015052249.tif 000005
【図４】
2015052249.tif 000006
【図５】
2015052249.tif 000007
【図６】
2015052249.tif 000008
【図７】
2015052249.tif 000009
【図８】
2015052249.tif 000010
【図９】
2015052249.tif 000011
【図１０】
2015052249.tif 000012